(57)【要約】      （修正有）【課題】遮熱塗膜が形成されたことによる効果を、より体感的、直感的に評価することが可能な体感的評価装置を提供する。【解決手段】人が入室可能な大きさの箱状物の少なくとも１面外側または内側の、全面若しくは部分に、遮熱塗膜が形成されてなる。遮熱塗膜が、金属板、トタン板、スレート板、木質板、樹脂製板から選ばれる天井パネル、側壁パネルの少なくとも１面以上に形成される。【選択図】図１
0003171973.tif 000002
【実用新案登録請求の範囲】
【請求項１】
遮熱塗膜の遮熱効果を、体感的に評価できる装置であって、人が入室可能な大きさの箱状物の少なくとも１面外側または内側の、全面若しくは部分に、遮熱塗膜が形成されてなる遮熱塗膜の体感的評価装置。
【請求項２】
遮熱塗膜が天井パネル、側壁パネルの少なくとも１面以上に形成されたことを特徴とする、請求項１に記載された遮熱塗膜の体感的評価装置。
【請求項３】
遮熱塗膜が金属板、トタン板、スレート板、木質板、樹脂製板から選ばれる天井パネル、側壁パネルに形成されたことを特徴とする、請求項１または２に記載された遮熱塗膜の体感的評価装置。
【請求項４】
遮熱塗膜がガラス等の透明材料から選ばれる天井パネル、側壁パネルに形成されたことを特徴とする、請求項１または２または３に記載された遮熱塗膜の体感的評価装置。
【請求項５】
箱状物の外側に、加熱用人工光源を有することを特徴とする請求項１または２または３または４に記載された遮熱塗膜の体感的評価装置。
【考案の詳細な説明】
【技術分野】
【０００１】
本考案は、遮熱塗膜の体感的評価装置に関する。
【背景技術】
【０００２】
我が国の夏季気候は高温、多湿であり、建築、構築物の屋根部に対して塗装される塗膜に遮熱性を付与することは、建物内部の温度環境を緩和し、冷房に消費されるエネルギーを減らす効果がある。
【０００３】
このため、塗料メーカー各社から遮熱塗膜を形成する遮熱塗料が開発され、上市されている。本出願人からも、特願2002−036877号  遮熱防音塗料及び遮熱防音工法  として特許出願を行なっている。
【０００４】
しかしながら、遮熱塗膜は一種の機能性塗料による塗装塗膜であるため、その機能、効能はカタログや技術資料のみでは、需要者に十分に伝達できるとは言い難い。そこで、必要とされる試験用遮熱塗膜を、いかなる場所においても迅速に、かつ需要者に対して直感的に判り易く展示することができる評価装置を開発し、本出願人から、特願2003-186558号  遮熱塗膜の評価装置  として特許出願を行っている。また、同装置とは異なる視点から遮熱塗膜を簡易的に評価・表示する方法として、遮熱塗膜の表面上、あるいは裏面上に示温シールを貼付した評価装置として、本出願人から、特願2007-290726号  遮熱塗膜の評価装置  として特許出願を行っている。更に、特願2003-186558号に記載された発明を更に諸点改良した考案品を、登実-3166534として実用新案登録出願を行っている。
【特許文献１】特開２００３−１８６５５８号公報
【特許文献２】特開２００９−１１５６８９号公報
【特許文献３】登実３１６６５３４号
【考案の概要】
【考案が解決しようとする課題】
【０００５】
しかし、上記の各発明・考案になる装置は、加熱された遮熱塗膜が測定された塗膜温度若しくは塗膜の裏面の温度を、対照比較品とする非遮熱塗膜温度もしくはその裏面の温度と比較して、その差の温度を数字として認識し、これを遮熱効果として評価するものである。しかしながら、温度が人体へ与える影響は個人差があり、また、実際の生活シーンの一部をシミュレートして体感的に遮熱塗膜を評価することが可能な、効果の高い遮熱塗膜の評価装置を開発することを課題とする。
【課題を解決するための手段】
【０００６】
上記課題を解決せんとして、本考案者は鋭意研究の結果、従来の遮熱塗膜の評価装置は、温度差という数字により遮熱性を評価している点に対して、遮熱塗膜が「人が感じる温度」を体感的低減可能であることを評価することが可能な遮熱塗膜の評価装置を開発したものであり、その要旨は以下に存する。
【０００７】
遮熱塗膜の遮熱効果を、体感的に評価できる装置であって、人が入室可能な大きさの箱状物の少なくとも１面外側または内側の、全面若しくは部分に、遮熱塗膜が形成されてなる遮熱塗膜の体感的評価装置。
遮熱塗膜が天井パネル、側壁パネルの少なくとも１面以上に形成された遮熱塗膜の体感的評価装置。
遮熱塗膜が金属板、トタン板、スレート板、木質板、樹脂製板から選ばれる天井パネル、側壁パネルに形成された遮熱塗膜の体感的評価装置。
遮熱塗膜がガラス等の透明材料から選ばれる天井パネル、側壁パネルに形成された遮熱塗膜の体感的評価装置。
箱状物の外側に、加熱用人工光源を有する遮熱塗膜の体感的評価装置。
以下に詳細に説明する。
【０００８】
人が入室可能な大きさの箱状物の形状については、構造上の強度、人が入室するための安全が確保されるのであれば、いかなる形状であっても差し支えなく、直方体、立方体、三角柱、円柱、多角柱などが例示できる。床部（底部）が無くても構成することは可能であるが、構造上大幅に強度が低下する虞れがあるため、床部（底部）を有する箱状物であることが望ましい。構造が単純な直方体、立方体がコスト面、制作面から好ましい。
遮熱塗料を塗装し、遮熱塗膜を形成するための板に関しては、箱状物の構造を維持できる材料であれば、特に限定はない。例えば鉄板、アルミニウム板、合金による金属板、トタン板、スレート板、木質板、熱可塑性樹脂・熱硬化性樹脂による樹脂製板などが例示できる。
本考案になる遮熱塗膜の体感的評価装置は、単独であっても評価可能であるが、本考案になる遮熱塗膜の体感的評価装置と略同一形状、同一寸法、同一材料による箱状物であって、天井及び側壁パネルには遮熱塗料が塗装されていない箱状物を比較対照物として用意することによって、遮熱塗膜の遮熱効果を体感する体験者は、一層遮熱塗膜の遮熱効果を比較的に体感することが可能となる。
また、箱状物の内部空間を２分割し、片側の空間の天井パネル若しくは側壁パネルの全部若しくは部分にのみ、遮熱塗膜を形成することにより、外側に遮熱塗膜が形成されていないもう片側の空間を、比較対照として遮熱塗膜効果を体感することが可能となる。箱状物の内部空間を２分割した場合、内部に設置する空間分離板の一部をドアパネル、若しくは人が通行可能な穴部としても良い。あるいは空間分離板は完全に箱状物を２分割して内部での通行は不可能とし、それぞれの空間用に外部からの入室用ドアパネル又は人が通行可能な穴部を設けることでも良い。
【０００９】
箱状物は、屋内、屋外のどちらにも設置可能である。屋外に設置する場合、太陽光を光源として、箱状物の内部空間に人が入室し、箱状物の外側に形成された遮熱塗膜の遮熱効果を体感する。
また、体育館、イヴェント会場などの大空間を有する屋内に設置した場合には、天候に左右されることなく遮熱塗膜の遮熱効果を体感することが可能であるが、この場合には箱状物の外側に、箱状物の内部空間を加熱し、温度上昇せしめるに十分な人工加熱光源を設置する必要がある。
箱状物の外側に設置する光源は、太陽光を代替し、可視光線を発生させる電球、レフランプ等の各種のランプが使用できる。また、近赤外線、遠赤外線などの各種波長域の赤外線を選択的に放射する赤外線ランプを使用することにより、各波長域における赤外線に対する遮熱効果を評価することも可能である。
【００１０】
光源となる各種のランプと、遮熱塗膜を形成した箱状物との距離を変化させる、あるいは、箱状物に対する光源となる各種のランプの位置関係、高さや角度を自在に変えることにより、例えば熱帯地域における、平坦な陸屋根に塗装された遮熱塗装板、中緯度地域における切妻屋根に塗装された遮熱塗装板、高緯度寒冷地域における高傾斜角を有する屋根に塗装された遮熱塗装板、という具合に、その多くが建築物の屋根材や、ガラス開口部に塗装されることが多い遮熱塗料による遮熱塗膜の遮熱性能を、その塗装された建築物の環境をシミュレートして体感評価することが可能となる。
【考案の効果】
【００１１】
本考案になる評価装置は、屋外、屋内を問わず、箱状物を積載可能な大型トラック、トレーラーなどによって必要な場所に輸送し、極めて簡単に設置することができ、人が箱状物の内部空間に入室することにより、箱状物の外側に形成された遮熱塗膜の効果を十分に体感し、評価することが可能である。
【考案を実施するための最良の形態】
【００１２】
以下に、本考案の理解を助けるために具体的な実施例を説明する。言うまでもないが、本考案は以下の実施例に限定されるものではない。
【実施例１】
【００１３】
樹脂製の支柱を用いて、８００ｍｍ×８００ｍｍ×高さ１９００ｍｍの直方体を形成し、各面に樹脂製パネルをはめ込み箱状物と成した。同一形状、同一寸法、同一材料にて、箱状物を２個作成し、うち１個の天井部、側壁部にのみ、遮熱塗料を塗装し、遮熱塗膜を形成し箱状物１とした。もう片方の箱状物の天井部、側壁部には遮熱塗料と同色であるが、塗膜には遮熱性能を有さない通常の塗料を塗装し、その塗料の塗膜を形成し箱状物1-aとした。
箱状物１及び1-aの空間に外部から入室できるようにドアパネルを設置した。
【実施例２】
【００１４】
樹脂製の支柱を用いて、短辺８００ｍｍ×長辺１６００ｍｍ×高さ１９００ｍｍの直方体を形成し、各面に樹脂製パネルをはめ込み箱状物と成した。短辺８００ｍｍ×長辺１９００ｍｍの樹脂製パネルにより、内部空間を２分割した。片側の天井部、側壁部にのみ、遮熱塗料を塗装し、遮熱塗膜を形成した。残部の天井部、側壁部には、遮熱塗料と同色の、遮熱性能を有さない塗料を塗装し、その塗料の塗膜を形成した。
それぞれの空間に外部から入室できるようにドアパネルをそれぞれの空間用に設置し、箱状物２とした。
【実施例３】
【００１５】
前記、実施例１の直方体の外側各面を構成する樹脂製パネルを、床面を除き、側面、天井面を強化透明ガラスとして箱状物と成した。同一形状、同一寸法、同一材料にて、箱状物を２個作成し、うち１個の天井部、側壁部にのみ、クリア型のガラス用遮熱塗料を塗装し、クリア遮熱塗膜を形成し箱状物３とした。もう片方の箱状物の天井部、側壁部には塗膜を形成せず、箱状物３-aとした。
箱状物３及び３-aの空間に外部から入室できるようにドアパネルを設置した。
【実施例４】
【００１６】
樹脂製の支柱を用いて、短辺８００ｍｍ×長辺１６００ｍｍ×高さ１９００ｍｍの直方体を形成し、各面に強化透明ガラスをはめ込み箱状物と成した。短辺８００ｍｍ×長辺１９００ｍｍの樹脂製パネルにより、内部空間を２分割した。片側の天井部、側壁部にのみ、クリア型のガラス用遮熱塗料を塗装し、遮熱塗膜を形成した。残部の天井部、側壁部にはクリア型のガラス用遮熱塗料を塗装せず、塗膜を形成しなかった。
それぞれの空間に外部から入室できるようにドアパネルをそれぞれの空間用に設置し、箱状物４とした。
【００１７】
箱状物１乃至４（箱状物１と1-a、同３と３-ａは同条件で太陽光があたる様に方向を同じくして並べて設置）を夏季の昼間の屋外広場に設置し、遮熱塗膜を体感しようとする人は、それぞれの箱状物に設置したドアパネルのドアを開けて内部に入室し、遮熱塗膜による遮熱効果を体感することができた。
また、箱状物１乃至４を、大屋内空間を有するイヴェント会場内に設置し、夏季の正午付近にある太陽をシミュレートさせるため、箱状物の上部約１ｍの位置に設置したレフランプにより、箱状物を上から加熱し、箱状物内部を加熱させることにより、入室した人は遮熱塗膜による遮熱効果を体感することができた。
【図面の簡単な説明】
【００１８】
【図１】樹脂製支柱により直方体を形成し、各面に樹脂製パネルをはめ込み、天井部にのみ遮熱塗膜を形成し、一面の側壁パネルにドアパネルを設置した体感的遮熱塗膜の評価装置。
【図１】
0003171973.tif 000003